【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】液滴吐出ヘッドおよび液滴吐出装置並びにインクジェットプリンタ
【手続補正２】
【補正対象書類名】明細書
【補正対象項目名】特許請求の範囲
【補正方法】変更
【補正の内容】
【特許請求の範囲】
【請求項１】  液体が充填されるキャビティと、前記キャビティに連通するノズルと、前記キャビティ内に充填された液体を加熱する発熱体とを有し、前記発熱体により前記キャビティ内の液体に膜沸騰を生じさせて前記キャビティ内の圧力を変化させることにより前記液体を前記ノズルから液滴として吐出する液滴吐出ヘッドであって、
前記キャビティ内の圧力の変化に追従して弾性的に変位する振動板と、
前記振動板と対向するように設置された電極とを備えることを特徴とする液滴吐出ヘッド。
【請求項２】  前記振動板および前記電極は、前記振動板と前記電極とで構成されるコンデンサの、前記振動板の振動に伴う静電容量の経時的変動に基づき当該液滴吐出ヘッドの吐出異常を検出するセンサとして機能する請求項１に記載の液滴吐出ヘッド。
【請求項３】  前記振動板は、前記発熱体の近傍に設置されている請求項１または２に記載の液滴吐出ヘッド。
【請求項４】  請求項１ないし３のいずれかに記載の少なくとも１つの液滴吐出ヘッドと、
前記発熱体に通電する駆動回路と、
前記駆動回路が前記発熱体に通電したとき前記キャビティ内の圧力変化により変位した前記振動板の残留振動を検出する残留振動検出手段を有し、前記残留振動検出手段によって検出された前記振動板の残留振動の振動パターンに基づいて、液滴の吐出異常を検出する吐出異常検出手段とを備えることを特徴とする液滴吐出装置。
【請求項５】  前記振動板の残留振動の振動パターンは、前記残留振動の周期を含む請求項４に記載の液滴吐出装置。
【請求項６】  前記吐出異常検出手段は、前記振動板の残留振動の振動パターンに基づいて、前記液滴吐出ヘッドの液滴の吐出異常の有無を判定する判定手段を含む請求項４または５に記載の液滴吐出装置。
【請求項７】  前記判定手段は、前記液滴吐出ヘッドの液滴の吐出異常があると判定した際、前記液滴吐出ヘッドの吐出異常の原因を判定する請求項６に記載の液滴吐出装置。
【請求項８】  前記判定手段は、前記振動板の残留振動の周期が所定の範囲の周期よりも短いときには、前記キャビティ内に気泡が混入したものと判定する請求項６または７に記載の液滴吐出装置。
【請求項９】  前記判定手段は、前記振動板の残留振動の周期が所定の閾値よりも長いときには、前記ノズル付近の液体が乾燥により増粘したものと判定する請求項６ないし８のいずれかに記載の液滴吐出装置。
【請求項１０】  前記判定手段は、前記振動板の残留振動の周期が所定の範囲の周期よりも長く、所定の閾値よりも短いときには、前記ノズルの出口付近に紙粉が付着したものと判定する請求項６ないし９のいずれかに記載の液滴吐出装置。
【請求項１１】  前記判定手段によって判定された判定結果を記憶する記憶手段を備える請求項６ないし１０のいずれかに記載の液滴吐出装置。
【請求項１２】  前記残留振動検出手段は、発振回路を備え、前記振動板と前記電極とで構成されるコンデンサの静電容量の、前記振動板の残留振動に伴う経時的変動に基づいて、該発振回路が発振する請求項４ないし１１のいずれかに記載の液滴吐出装置。
【請求項１３】  前記発振回路は、前記コンデンサの静電容量成分と、抵抗素子の抵抗成分とによるＣＲ発振回路を構成する請求項１２に記載の液滴吐出装置。
【請求項１４】  前記発振回路の発振周波数は、前記振動板の残留振動の振動周波数よりもおよそ１桁以上高い周波数になるよう構成される請求項１２または１３に記載の液滴吐出装置。
【請求項１５】  前記残留振動検出手段は、前記発振回路の出力信号における発振周波数の変化に基づいて生成される所定の信号群により、前記振動板の残留振動の電圧波形を生成するＦ／Ｖ変換回路を含む請求項１２ないし１４のいずれかに記載の液滴吐出装置。
【請求項１６】  前記残留振動検出手段は、前記Ｆ／Ｖ変換回路によって生成された前記振動板の残留振動の電圧波形を所定の波形に整形する波形整形回路を含む請求項１５に記載の液滴吐出装置。
【請求項１７】  前記波形整形回路は、前記Ｆ／Ｖ変換回路によって生成された前記振動板の残留振動の電圧波形から直流成分を除去するＤＣ成分除去手段と、このＤＣ成分除去手段によって直流成分を除去された電圧波形と所定の電圧値とを比較する比較器とを含み、該比較器は、該電圧比較に基づいて、矩形波を生成して出力する請求項１６に記載の液滴吐出装置。
【請求項１８】  前記吐出異常検出手段は、前記残留振動検出手段によって生成された前記矩形波から前記振動板の残留振動の周期を計測する計測手段を含む請求項１７に記載の液滴吐出装置。
【請求項１９】  前記計測手段は、カウンタを有し、該カウンタが基準信号のパルスをカウントすることによって、前記矩形波の立ち上がりエッジ間あるいは立ち上がりエッジと立ち下がりエッジの間の時間を計測する請求項１８に記載の液滴吐出装置。
【請求項２０】  複数の前記液滴吐出ヘッドを備える請求項４ないし１９のいずれかに記載の液滴吐出装置。
【請求項２１】  前記複数の液滴吐出ヘッドのうちいずれの液滴吐出ヘッドのノズルから液滴を吐出するかを選択する吐出選択手段と、
前記吐出異常検出手段が前記複数の液滴吐出ヘッドのうちいずれの液滴吐出ヘッドのノズルに対して液滴の吐出異常を検出するかを決定する検出決定手段と、
前記検出決定手段によって決定された前記液滴吐出ヘッドを前記吐出異常検出手段に選択的に接続する切替手段とを備える請求項２０に記載の液滴吐出装置。
【請求項２２】  前記複数の液滴吐出ヘッドに対応する複数の前記吐出異常検出手段を備える請求項２０に記載の液滴吐出装置。
【請求項２３】  前記複数の液滴吐出ヘッドに対応する複数の前記吐出異常検出手段と、
前記複数の液滴吐出ヘッドのうちいずれの液滴吐出ヘッドのノズルから液滴を吐出するかを選択する吐出選択手段と、
前記吐出異常検出手段が前記複数の液滴吐出ヘッドのうちいずれの液滴吐出ヘッドのノズルに対して液滴の吐出異常を検出するかを決定する検出決定手段と、
前記検出決定手段によって決定された前記液滴吐出ヘッドを対応する前記吐出異常検出手段に選択的に接続する切替手段とを備える請求項２０に記載の液滴吐出装置。
【請求項２４】  前記吐出異常検出手段は、検出対象となる前記ノズルのフラッシング処理における液滴吐出動作時あるいは印刷動作における液滴吐出動作時のいずれかのタイミングで液滴の吐出異常を検出する請求項４ないし２３のいずれかに記載の液滴吐出装置。
【請求項２５】  前記液滴吐出装置は、複数の前記液滴吐出ヘッドを備え、前記液滴吐出ヘッドと液滴受容物とを相対的に走査しつつ前記ノズルから液滴を吐出して前記液滴受容物に着弾させるように作動するものであり、
前記吐出異常手段は、前記液滴吐出ヘッドが前記液滴受容物に対し液滴を吐出しているとき、前記ノズルからの液滴の吐出異常を検出する請求項４ないし２４のいずれかに記載の液滴吐出装置。
【請求項２６】  前記吐出異常検出手段により検出された前記吐出異常の数をカウントする計数手段を備える請求項２５に記載の液滴吐出装置。
【請求項２７】  報知手段を備え、
前記液滴受容物に対し液滴を吐出しているとき前記計数手段によりカウントされた当該液滴受容物に対する吐出異常の数が設定された基準値を超えた場合には、当該基準値を超えたことを前記報知手段により報知する請求項２６に記載の液滴吐出装置。
【請求項２８】  液滴受容物の排出および供給を行う液滴受容物搬送手段を備え、
前記液滴受容物のうちの第１の液滴受容物に対し液滴を吐出しているとき前記計数手段によりカウントされた当該液滴受容物に対する吐出異常の数が設定された基準値を超えた場合には、当該第１の液滴受容物に対する液滴の吐出を中止し、前記液滴受容物搬送手段を作動して当該液滴受容物を排出するとともに第２の液滴受容物を供給し、該供給された前記第２の液滴受容物に対して前記第１の液滴受容物に対する液滴の吐出と同内容の液滴の吐出を行う請求項２６に記載の液滴吐出装置。
【請求項２９】  前記液滴吐出ヘッドに対し、液滴の吐出異常を解消させる回復処理を行う回復手段を備え、前記供給された前記第２の液滴受容物に対して前記第１の液滴受容物に対する液滴の吐出と同内容の液滴の吐出を行う前に、前記回復手段による回復処理を行う請求項２８に記載の液滴吐出装置。
【請求項３０】  前記基準値を変更可能である請求項２７ないし２９のいずれかに記載の液滴吐出装置。
【請求項３１】  前記基準値が異なる複数の作動モードを有し、該作動モードを選択可能である請求項２７ないし３０のいずれかに記載の液滴吐出装置。
【請求項３２】  前記液滴吐出装置は、複数の前記液滴吐出ヘッドを備え、前記液滴吐出ヘッドと液滴受容物とを相対的に走査しつつ前記ノズルから液滴を吐出して前記液滴受容物に着弾させるように作動するものであり、
前記吐出異常検出手段は、前記液滴吐出ヘッドの吐出異常と当該吐出異常の原因とを検出するものであり、
前記液滴吐出ヘッドに対し、液滴の吐出異常を解消させる回復処理を行う回復手段を備え、
前記吐出異常検出手段は、前記液滴吐出ヘッドが前記液滴受容物に対し液滴を吐出しているとき、前記ノズルからの液滴の吐出異常を検出し、
前記回復手段は、前記ノズルからの液滴の吐出異常が検出された場合には、当該液滴受容物に対する液滴の吐出を中断して、前記ノズルからの液滴の吐出異常の原因に応じた回復処理を実行する請求項４ないし２４のいずれかに記載の液滴吐出装置。
【請求項３３】  前記液滴吐出装置は、複数の前記液滴吐出ヘッドを備え、前記液滴吐出ヘッドと液滴受容物とを相対的に走査しつつ前記ノズルから液滴を吐出して前記液滴受容物に着弾させるように作動するものであり、
前記吐出異常検出手段は、前記液滴吐出ヘッドの吐出異常と当該吐出異常の原因とを検出するものであり、
前記液滴吐出ヘッドに対し液滴の吐出異常を解消させる回復処理を行う回復手段と、前記吐出異常検出手段により検出された前記吐出異常の数をカウントする計数手段とを備え、
前記吐出異常検出手段は、前記液滴吐出ヘッドが前記液滴受容物に対し液滴を吐出しているとき、前記ノズルからの液滴の吐出異常を検出し、
前記回復手段は、前記計数手段によりカウントされた当該液滴受容物に対する吐出異常の数が設定された基準値を超えた場合には、当該液滴受容物に対する液滴の吐出を中断して、前記ノズルからの液滴の吐出異常の原因に応じた回復処理を実行する請求項４ないし２４のいずれかに記載の液滴吐出装置。
【請求項３４】  前記基準値を変更可能である請求項３３に記載の液滴吐出装置。
【請求項３５】  前記基準値が異なる複数の作動モードを有し、該作動モードを選択可能である請求項３３または３４に記載の液滴吐出装置。
【請求項３６】  前記回復手段により前記吐出異常の原因に応じた回復処理を実行した後、前記吐出異常検出手段により吐出異常が解消したか否かを確認する請求項３２ないし３５のいずれかに記載の液滴吐出装置。
【請求項３７】  前記確認のための前記吐出異常検出手段による検出は、前記ノズルのフラッシング処理における液滴吐出動作時に行う請求項３６に記載の液滴吐出装置。
【請求項３８】  前記確認のための前記吐出異常検出手段による検出を行った後、当該液滴受容物に対する液滴の吐出の続きを再開する請求項３６または３７に記載の液滴吐出装置。
【請求項３９】  液滴受容物の排出および供給を行う液滴受容物搬送手段を備え、
前記確認のための前記吐出異常検出手段による検出を行った後、前記液滴受容物搬送手段を作動して前記液滴受容物のうちの第１の液滴受容物を排出するとともに第２の液滴受容物を供給し、該供給された前記第２の液滴受容物に対して前記第１の液滴受容物に対する液滴の吐出と同内容の液滴の吐出を行う請求項３６または３７に記載の液滴吐出装置。
【請求項４０】  前記確認のための前記吐出異常検出手段による検出によって吐出異常が検出された場合には、前記回復手段による回復処理を再度行う請求項３６ないし３９のいずれかに記載の液滴吐出装置。
【請求項４１】  前記確認のための前記吐出異常検出手段による検出によって吐出異常が検出された場合に前記回復手段による回復処理を行う場合、前記ノズルからの液滴の吐出異常の原因に応じた回復処理を行う請求項４０に記載の液滴吐出装置。
【請求項４２】  請求項４ないし４１のいずれかに記載の液滴吐出装置を備えるインクジェットプリンタ。
【手続補正３】
【補正対象書類名】明細書
【補正対象項目名】００１２
【補正方法】変更
【補正の内容】
【００１２】
本発明の液滴吐出装置では、前記判定手段は、前記液滴吐出ヘッドの液滴の吐出異常があると判定した際、前記液滴吐出ヘッドの吐出異常の原因を判定することが好ましい。
これにより、検出された吐出異常の原因が分かるので、原因に応じた対処をすることが可能となる。
本発明の液滴吐出装置では、前記判定手段は、前記振動板の残留振動の周期が所定の範囲の周期よりも短いときには、前記キャビティ内に気泡が混入したものと判定することが好ましい。
これにより、吐出異常の原因として、キャビティ内への気泡の混入を判別することができる。
【手続補正４】
【補正対象書類名】明細書
【補正対象項目名】００１５
【補正方法】変更
【補正の内容】
【００１５】
本発明の液滴吐出装置では、前記判定手段によって判定された判定結果を記憶する記憶手段を備えることが好ましい。
これにより、記憶された判定結果に基づいて、例えば、印刷動作の終了後など適切なときに適切な回復処理を実行することができる。
本発明の液滴吐出装置では、前記残留振動検出手段は、発振回路を備え、前記振動板と前記電極とで構成されるコンデンサの静電容量の、前記振動板の残留振動に伴う経時的変動に基づいて、該発振回路が発振することが好ましい。
これにより、低廉で簡単な構造の回路構成で、吐出異常をより正確に検出することができる。
【手続補正５】
【補正対象書類名】明細書
【補正対象項目名】００２８
【補正方法】変更
【補正の内容】
【００２８】
本発明の液滴吐出装置では、前記液滴吐出ヘッドに対し、液滴の吐出異常を解消させる回復処理を行う回復手段を備え、
前記吐出異常検出手段は、前記液滴吐出ヘッドの吐出異常をその原因とともに検出するものであり、
前記ノズルから液滴を吐出した際、前記吐出異常検出手段により吐出異常が検出された場合には、その吐出異常の原因に応じた回復処理を前記回復手段により実行することが好ましい。
これにより、従来の液滴吐出装置におけるシーケンシャルな回復処理とは異なり、回復処理時に例えばインク等の吐出対象液を無駄に排出するのを防止することができるので、吐出対象液の消費量を低減することができる。また、必要でない種類の回復処理を行わないので、回復処理に要する時間を短縮でき、液滴吐出装置のスループット（単位時間当たりの印刷枚数）の向上が図れる。
【手続補正６】
【補正対象書類名】明細書
【補正対象項目名】００２９
【補正方法】変更
【補正の内容】
【００２９】
本発明の液滴吐出装置では、前記回復手段は、前記液滴吐出ヘッドのノズルが配列されるノズル面をワイパによりワイピング処理を実行するワイピング手段と、前記発熱体に通電して前記液滴吐出ヘッドのクリーニングのためにノズルから液滴を吐出するフラッシング処理を実行するフラッシング手段と、前記液滴吐出ヘッドのノズル面を覆うキャップに接続するポンプによりポンプ吸引処理を実行するポンピング手段とを含むことが好ましい。
これにより、回復手段は、吐出異常の原因に応じ、ワイピング処理、フラッシング処理、ポンプ吸引処理から適切かつ無駄のない回復処理を選択して実行することができる。
【手続補正７】
【補正対象書類名】明細書
【補正対象項目名】００３０
【補正方法】変更
【補正の内容】
【００３０】
本発明の液滴吐出装置では、前記吐出異常検出手段が検出し得る吐出異常の原因は、前記キャビティへの気泡混入と、前記ノズル付近の液体の乾燥による増粘と、前記ノズル出口付近への紙粉付着との少なくともいずれか一つを含み、
前記回復手段は、気泡混入の場合には前記ポンピング手段によるポンプ吸引処理を実行させ、乾燥増粘の場合には前記フラッシング手段によるフラッシング処理または前記ポンピング手段によるポンプ吸引処理を実行させ、紙粉付着の場合には少なくとも前記ワイパによるワイピング処理を実行させることが好ましい。
これにより、吐出異常の原因として、キャビティへの気泡混入、ノズル付近での液体の乾燥・増粘、ノズル出口付近への紙粉付着、のそれぞれに応じて適切かつ無駄のない回復処理を行うことができる。
【手続補正８】
【補正対象書類名】明細書
【補正対象項目名】００３１
【補正方法】変更
【補正の内容】
【００３１】
本発明の液滴吐出装置では、複数の前記液滴吐出ヘッドを備え、
前記回復手段は、前記吐出異常検出手段が、前記気泡混入が生じた液滴吐出ヘッドと、前記乾燥増粘が生じた液滴吐出ヘッドとを検出した場合には、それらの液滴吐出ヘッドに対してポンプ吸引処理を実行させることが好ましい。
これにより、気泡混入の液滴吐出ヘッドと乾燥増粘の液滴吐出ヘッドが同時に生じた場合、これらの液滴吐出ヘッドに対する回復処理を一度にまとめて無駄なく行うことができる。
【手続補正９】
【補正対象書類名】明細書
【補正対象項目名】００３２
【補正方法】変更
【補正の内容】
【００３２】
本発明の液滴吐出装置では、前記液滴吐出装置は、複数の前記液滴吐出ヘッドを備え、前記液滴吐出ヘッドと液滴受容物とを相対的に走査しつつ前記ノズルから液滴を吐出して前記液滴受容物に着弾させるように作動するものであり、
前記吐出異常手段は、前記液滴吐出ヘッドが前記液滴受容物に対し液滴を吐出しているとき、前記ノズルからの液滴の吐出異常を検出することが好ましい。
これにより、液滴受容物に向けて各ノズルから液滴を吐出するとき、吐出すべき各液滴についてそれぞれ正常に吐出されたかどうかを検出しながら行うので、形成した画像中に実際にドット抜け（画素の欠損）があるかどうかを正確に検出することができる。
【手続補正１０】
【補正対象書類名】明細書
【補正対象項目名】００３３
【補正方法】変更
【補正の内容】
【００３３】
本発明の液滴吐出装置では、前記吐出異常検出手段により検出された前記吐出異常の数をカウントする計数手段を備えることが好ましい。
これにより、液滴受容物に液滴を吐出することにより画像を形成しながら、当該液滴受容物に対して発生した吐出異常の数をカウントすることができる。よって、当該液滴受容物に形成した画像中に発生したドット抜け（画素の欠損）の数に基づいて、形成した画像の画質をも検出（判定）することができる。
【手続補正１１】
【補正対象書類名】明細書
【補正対象項目名】００３４
【補正方法】変更
【補正の内容】
【００３４】
本発明の液滴吐出装置では、報知手段を備え、
前記液滴受容物に対し液滴を吐出しているとき前記計数手段によりカウントされた当該液滴受容物に対する吐出異常の数が設定された基準値を超えた場合には、当該基準値を超えたことを前記報知手段により報知することが好ましい。
これにより、液滴受容物に形成した画像中に発生した吐出異常が基準値を超えた場合、その画像が基準値に基づく画質基準を満足していないのを液滴吐出装置の操作者（使用者）に報知することができる。
【手続補正１２】
【補正対象書類名】明細書
【補正対象項目名】００３５
【補正方法】変更
【補正の内容】
【００３５】
本発明の液滴吐出装置では、液滴受容物の排出および供給を行う液滴受容物搬送手段を備え、
前記液滴受容物のうちの第１の液滴受容物に対し液滴を吐出しているとき前記計数手段によりカウントされた当該液滴受容物に対する吐出異常の数が設定された基準値を超えた場合には、当該第１の液滴受容物に対する液滴の吐出を中止し、前記液滴受容物搬送手段を作動して当該液滴受容物を排出するとともに第２の液滴受容物を供給し、該供給された前記第２の液滴受容物に対して前記第１の液滴受容物に対する液滴の吐出と同内容の液滴の吐出を行うことが好ましい。
これにより、基準値に基づく画質基準を満足する画像が形成された液滴受容物が得られるまで、新たな液滴受容物に画像形成動作をやり直すので、液滴吐出装置の操作者（使用者）は、所望する画質のものを確実に得ることができる。
【手続補正１３】
【補正対象書類名】明細書
【補正対象項目名】００３６
【補正方法】変更
【補正の内容】
【００３６】
本発明の液滴吐出装置では、前記液滴吐出ヘッドに対し、液滴の吐出異常を解消させる回復処理を行う回復手段を備え、前記供給された前記第２の液滴受容物に対して前記第１の液滴受容物に対する液滴の吐出と同内容の液滴の吐出を行う前に、前記回復手段による回復処理を行うことが好ましい。
これにより、吐出異常が発生した液滴受容物を排出して新たな液滴受容物に対して液滴の吐出をやり直す場合、吐出異常が再発生するのをより確実に防止することができる。
【手続補正１４】
【補正対象書類名】明細書
【補正対象項目名】００３８
【補正方法】変更
【補正の内容】
【００３８】
本発明の液滴吐出装置では、前記液滴吐出装置は、複数の前記液滴吐出ヘッドを備え、前記液滴吐出ヘッドと液滴受容物とを相対的に走査しつつ前記ノズルから液滴を吐出して前記液滴受容物に着弾させるように作動するものであり、
前記吐出異常検出手段は、前記液滴吐出ヘッドの吐出異常と当該吐出異常の原因とを検出するものであり、
前記液滴吐出ヘッドに対し、液滴の吐出異常を解消させる回復処理を行う回復手段を備え、
前記吐出異常検出手段は、前記液滴吐出ヘッドが前記液滴受容物に対し液滴を吐出しているとき、前記ノズルからの液滴の吐出異常を検出し、
前記回復手段は、前記ノズルからの液滴の吐出異常が検出された場合には、当該液滴受容物に対する液滴の吐出を中断して、前記ノズルからの液滴の吐出異常の原因に応じた回復処理を実行することが好ましい。
【手続補正１５】
【補正対象書類名】明細書
【補正対象項目名】００４０
【補正方法】変更
【補正の内容】
【００４０】
本発明の液滴吐出装置では、前記液滴吐出装置は、複数の前記液滴吐出ヘッドを備え、前記液滴吐出ヘッドと液滴受容物とを相対的に走査しつつ前記ノズルから液滴を吐出して前記液滴受容物に着弾させるように作動するものであり、
前記吐出異常検出手段は、前記液滴吐出ヘッドの吐出異常と当該吐出異常の原因とを検出するものであり、
前記液滴吐出ヘッドに対し液滴の吐出異常を解消させる回復処理を行う回復手段と、前記吐出異常検出手段により検出された前記吐出異常の数をカウントする計数手段とを備え、
前記吐出異常検出手段は、前記液滴吐出ヘッドが前記液滴受容物に対し液滴を吐出しているとき、前記ノズルからの液滴の吐出異常を検出し、
前記回復手段は、前記計数手段によりカウントされた当該液滴受容物に対する吐出異常の数が設定された基準値を超えた場合には、当該液滴受容物に対する液滴の吐出を中断して、前記ノズルからの液滴の吐出異常の原因に応じた回復処理を実行することが好ましい。
【手続補正１６】
【補正対象書類名】明細書
【補正対象項目名】００４７
【補正方法】変更
【補正の内容】
【００４７】
本発明の液滴吐出装置では、液滴受容物の排出および供給を行う液滴受容物搬送手段を備え、
前記確認のための前記吐出異常検出手段による検出を行った後、前記液滴受容物搬送手段を作動して前記液滴受容物のうちの第１の液滴受容物を排出するとともに第２の液滴受容物を供給し、該供給された前記第２の液滴受容物に対して前記第１の液滴受容物に対する液滴の吐出と同内容の液滴の吐出を行うことが好ましい。
これにより、所望される画質の画像が形成された液滴受容物が得られるまで、新たな液滴受容物に画像形成動作をやり直すので、液滴吐出装置の操作者（使用者）は、所望する画質のものを確実に得ることができる。
【手続補正１７】
【補正対象書類名】明細書
【補正対象項目名】００４９
【補正方法】変更
【補正の内容】
【００４９】
本発明の液滴吐出装置では、前記確認のための前記吐出異常検出手段による検出によって吐出異常が検出された場合に前記回復手段による回復処理を行う場合、前記ノズルからの液滴の吐出異常の原因に応じた回復処理を行うことが好ましい。
これにより、再度の回復処理においても、吐出対象液を無駄に排出するのを防止することができるので、吐出対象液の消費量を低減することができる。また、必要でない種類の回復処理を行わないので、回復処理に要する時間を短縮でき、液滴吐出装置のスループット（単位時間当たりの印刷枚数）の向上が図れる。